(57)【要約】【課題】プラズマディスプレイ装置において、パネルに供給する緩勾配電圧波形の傾きのばらつきを低減させ、プラズマディスプレイ装置の表示品位を向上させることを目的とする。【解決手段】走査電極と維持電極とをそれぞれ複数有するプラズマディスプレイパネルに緩勾配電圧波形を供給するためのＭＯＳＦＥＴ１６、コンデンサ１７、抵抗１８を用いたミラー積分回路と、このミラー積分回路に電流を供給するツェナーダイオード１９、トランジスタ２０、抵抗２１からなる定電流回路とを有し、前記ミラー積分回路のＭＯＳＦＥＴ１６のゲート端子をトランジスタ３１を介して定電流回路に接続したものである。【選択図】図５
2008275851.tif 000002
【特許請求の範囲】
【請求項１】
走査電極と維持電極とをそれぞれ複数有するプラズマディスプレイパネルに緩勾配電圧波形を供給するためのＭＯＳＦＥＴを用いたミラー積分回路と、このミラー積分回路に電流を供給する定電流回路とを有し、前記ミラー積分回路のＭＯＳＦＥＴのゲート端子をトランジスタを介して定電流回路に接続したプラズマディスプレイ装置。
【発明の詳細な説明】
【技術分野】
【０００１】
プラズマディスプレイパネルを用いた画像表示装置であるプラズマディスプレイ装置に関する。
【背景技術】
【０００２】
プラズマディスプレイパネル（以下、「パネル」と略記する）は、大画面、薄型、軽量であることを特徴とする視認性に優れた表示デバイスである。
【０００３】
このパネルを用いたプラズマディスプレイ装置においては、１ＴＶフィールド毎に初期化期間を設け、その期間にまず立ち上がりが緩勾配波形であるパルス状の電圧を走査電極に印加し、直後に立下りが緩勾配電圧波形であるパルス状の電圧を走査電極に印加することが行われるが、この緩勾配波形を生成するためにミラー積分回路を用いた緩勾配波形発生回路が使用されている（特許文献１参照）。
【特許文献１】特開平１１−１３３９１４号公報
【発明の開示】
【発明が解決しようとする課題】
【０００４】
しかしながら、この従来の回路においては、ミラー積分回路に電流を供給する定電流回路において、使用するトランジスタなどの特性が温度によりばらつくことにより、ミラー積分回路で生成する緩勾配電圧波形の傾きが変化し、初期化期間における放電にばらつきが発生し、表示品位を低下させるという課題が発生していた。
【０００５】
本発明はこのような課題を解決するもので、パネルに供給する緩勾配電圧波形の傾きのばらつきを低減させ、プラズマディスプレイ装置の表示品位を向上させることを目的とする。
【課題を解決するための手段】
【０００６】
この課題を解決するために本発明は、走査電極と維持電極とをそれぞれ複数有するプラズマディスプレイパネルに緩勾配電圧波形を供給するためのＭＯＳＦＥＴを用いたミラー積分回路と、このミラー積分回路に電流を供給する定電流回路とを有し、前記ミラー積分回路のＭＯＳＦＥＴのゲート端子をトランジスタを介して定電流回路に接続したものである。
【発明の効果】
【０００７】
本発明によれば、ミラー積分回路で生成する緩勾配電圧波形の傾きのばらつきを低減させることができ、これにより初期化期間における放電のばらつきを低減してプラズマディスプレイ装置の表示品位を向上させることができる。
【発明を実施するための最良の形態】
【０００８】
以下、本発明の一実施の形態におけるプラズマディスプレイ装置について、図面を用いて説明する。
【０００９】
図１は、プラズマディスプレイ装置に用いるパネルの構造を示す分解斜視図である。パネルは、ガラス製の前面基板１と背面基板２とを対向配置して、その間に多数の放電セルを形成するように構成されている。前面基板１上には表示電極対を構成する走査電極３と維持電極４とが互いに平行に対をなして複数形成されている。そして、走査電極３および維持電極４を覆うように誘電体層５が形成され、誘電体層５上には保護層６が形成されている。また、背面基板２上には絶縁体層７で覆われた複数のデータ電極８が設けられ、絶縁体層７上に井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、電極の交差するそれぞれの位置に放電セルが形成されている。放電セルには放電ガスとして、例えばネオンとキセノンの混合ガスが封入されている。なお、パネルの構造は上述したものに限られるわけではなく、例えば井桁状の隔壁のかわりにストライプ状の隔壁を備えたものであってもよい。
【００１０】
図２はパネルの電極配列図である。行方向にｎ本の走査電極３1〜３n（図１の走査電極３）およびｎ本の維持電極４1〜４n（図１の維持電極４）が配列され、列方向にｍ本のデータ電極８1〜８m（図１のデータ電極８）が配列されている。そして、１対の走査電極３iおよび維持電極４i（ｉ＝１〜ｎ）と１つのデータ電極８j（ｊ＝１〜ｍ）とが交差した部分に放電セルが形成され、放電セルは放電空間内にｍ×ｎ個形成されている。
【００１１】
図３は本発明の一実施の形態におけるプラズマディスプレイ装置の回路ブロック図である。プラズマディスプレイ装置は、パネル１０、画像信号処理部１１、データ電極駆動部１２、走査電極駆動部１３、維持電極駆動部１４、タイミング発生部１５および各回路ブロックに必要な電源を供給する電源部（図示せず）を備えている。
【００１２】
画像信号処理部１１は、画像信号ｓｉｇを、各放電セルのサブフィールド毎の発光・非発光を示す画像データに変換する。データ電極駆動部１２はサブフィールド毎の画像データを各データ電極８に対応する信号に変換し各データ電極８を駆動する。走査電極駆動部１３は走査電極３に所定の駆動電圧波形を供給し、維持電極駆動部１４は維持電極４に所定の駆動電圧波形を供給する。タイミング発生部１５は水平同期信号Ｈおよび垂直同期信号Ｖをもとにして各電極駆動部の駆動電圧波形を制御する各種のタイミング信号を発生し、各電極駆動部へ供給する。
【００１３】
次に、パネルを駆動する方法について説明する。本実施の形態においては、画像信号に応じた階調を表示する方法としていわゆるサブフィールド法を用いている。サブフィールド法は１フィールド期間を表示輝度の異なる複数のサブフィールドに分割し、これらのサブフィールドの組合せによって階調を表示する方法である。各サブフィールドは初期化期間、書込み期間、維持期間を有する。
【００１４】
図４は本発明の実施の形態においてパネルの各電極に印加する駆動電圧波形を示す図であり、図４には２つのサブフィールドに対する駆動電圧波形を示しているが、他のサブフィールドにおける駆動波形もほぼ同様である。
【００１５】
サブフィールドの初期化期間では、維持電極駆動部１４から維持電極４に０Ｖを印加するとともに、走査電極駆動部１３のミラー積分回路を用いて電圧Ｖｉ１から電圧Ｖｉ２に向かって緩やかに上昇するランプ電圧を基準電位に印加する。その後、維持電極４に電圧Ｖｅを印加するとともに、走査電極駆動部１３のミラー積分回路を用いて電圧Ｖｉ３から電圧Ｖｉ４に向かって緩やかに下降するランプ電圧を走査電極３に印加する。すると各放電セルで微弱な初期化放電が発生し、続く書込み動作に必要な壁電荷を各電極上に形成する。なお、初期化期間の動作としては、図４の第２サブフィールドの初期化期間に示したように、走査電極３に対して緩やかに下降するランプ電圧を印加するだけでもよい。
【００１６】
続く書込み期間では、まず、走査電極駆動部１３により基準電位を電圧Ｖａにするとともに、走査電極３に電圧（Ｖｃ＋Ｖａ）を印加する。次に、１行目の走査電極３に負の走査パルスＶａを印加する。このとき、発光すべき放電セルに対応するデータ電極８にデータ電極駆動部１２を用いて正の書込みパルスＶｄを印加する。すると走査パルスＶａと書込みパルスＶｄとが同時に印加された１行目の放電セルでは書込み放電が発生し、走査電極３および維持電極４に壁電荷を蓄積する書込み動作が行われる。以上の書込み動作をｎ行目の放電セルに至るまで繰り返し、発光すべき放電セルに対して選択的に書込み放電を発生させ壁電荷を形成する。
【００１７】
続く維持期間では、維持電極駆動部１４から維持電極４に０Ｖを印加する。そして走査電極駆動部１３から走査電極３に電圧Ｖｓを印加する。こうして走査電極３に維持パルスＶｓを印加すると、書込み放電を起こした放電セルでは維持放電が起こり発光する。
【００１８】
次に走査電極駆動部１３から走査電極３に電圧０Ｖを印加するとともに、維持電極駆動部１４から維持電極４に維持パルスＶｓを印加する。すると維持放電を起こした放電セルでは再び維持放電が起こり発光する。以降同様に、走査電極３と維持電極４とに交互に必要な回数の維持パルスを印加して、放電セルを所定の輝度で発光させる。
【００１９】
続くサブフィールドにおいても上述したサブフィールドの動作と同様の動作を繰り返すことにより放電セルを発光させ、画像を表示している。
【００２０】
図５は、初期化期間に緩勾配電圧波形を供給するための本発明の一実施の形態による回路構成を示す回路図である。
【００２１】
図５に示すように、緩勾配電圧波形を供給するための回路は、ＭＯＳＦＥＴ１６と、立ち上がり緩勾配波形の傾きを決定するコンデンサ１７および抵抗１８から構成されるミラー積分回路と、このミラー積分回路の抵抗１８とコンデンサ１７に電流を供給するツェナーダイオード１９、トランジスタ２０、抵抗２１、２２で構成する定電流回路とを備えている。また、この回路において、ミラー積分回路のＭＯＳＦＥＴ１６のゲート端子には、ゲート発振防止のための抵抗２３、放電のための抵抗２４、ゲート保護用のダイオード２５が接続されている。なお、２６は初期化パルス立ち上げ時の積み上げ電圧を生成するツェナーダイオード、２７、２８は波形調整用のダイオードと抵抗、２９はパルス信号発生器、３０はパルス信号発生器２９とＭＯＳＦＥＴ１６との間に接続したダイオードである。
【００２２】
さらに、本発明の回路においては、ミラー積分回路のＭＯＳＦＥＴ１６のゲート端子を定電流回路にトランジスタ３１を介して接続している。すなわち、トランジスタ３１のエミッタをツェナーダイオード１９のアノードに接続し、トランジスタ３１のコレクタをＭＯＳＦＥＴ１６のソース端子に接続し、トランジスタ３１のベースを抵抗２１とダイオード２５のカソードと抵抗２３の接続交点に接続されている。
【００２３】
ここで、ミラー積分回路の動作について、図６を用いて説明する。パルス信号発生器２９より電圧Ｖｉｎが出力されると、ＭＯＳＦＥＴ１６は導通しようとするが、ドレインがＶｃｃ→０Ｖまで下がろうとすると、コンデンサ１７の影響でゲート電圧が下がるため、ＭＯＳＦＥＴ１６は非導通となる。つまり、ゲート電位はＶｔｈ（ゲートスレッシュ電圧）で固定され、下記式が成り立つようにドレイン電流を制御する。
【００２４】
Ｖｏｕｔ＝−（Ｖｉｎ−Ｖｔｈ）／Ｒ１×Ｃ１×ｔ＋Ｖｃｃ＋Ｖｔｈ
この原理を利用して任意の傾きをもった緩勾配電圧波形を作成しており、緩勾配電圧波形の傾きは−（Ｖｉｎ−Ｖｔｈ）／Ｒ１×Ｃ１で決定される。
【００２５】
図５に示す回路においては、パルス信号発生器２９から発生されるパルス電圧のばらつきを吸収するため、トランジスタ２０、抵抗２１、２２、ツェナーダイオード１９で構成される定電流回路により、Ｖｉｎに相当する電圧を作成しており、ミラー積分回路のＶｉｎに相当する電圧は、トランジスタ３１により、トランジスタ２０のＶｂｅは相殺されるため、ツェナーダイオード１９のＶｚのみで決定される。これにより、トランジスタ２０の温度特性によるＶｂｅの変化の影響はなくなり、立ち上がり緩勾配波形の傾きのばらつきを抑制することが可能となる。また、ツェナーダイオード１９のアノードがトランジスタ３１のエミッタに接続されていることから、ツェナーダイオード１９にある程度の電流を流しても、その電流経路はトランジスタ３１のコレクタを介して、ＭＯＳＦＥＴ１６のソース電位側に流れ、コンデンサ１７側には流れないことから、緩勾配電圧波形の傾きに影響させることなく、ツェナーダイオード１９に安定したＶｚを得るための電流を十分に流すことが可能となり、Ｖｚのばらつきも抑制される。
【００２６】
このようにして、本実施の形態では、回路ばらつきにより発生する緩勾配電圧波形の傾きばらつきを抑制させて動作させることができる。
【産業上の利用可能性】
【００２７】
本発明によれば、プラズマディスプレイパネルに放電電圧を供給する駆動回路において、初期化期間に印加する緩勾配電圧波形の傾きばらつきを抑制することが可能であり、プラズマディスプレイ装置の表示品位を向上させる上で有用である。
【図面の簡単な説明】
【００２８】
【図１】本発明の一実施の形態におけるプラズマディスプレイ装置に用いるパネルの構造を示す分解斜視図
【図２】同パネルの電極配列図
【図３】本発明の一実施の形態におけるプラズマディスプレイ装置の回路ブロック図
【図４】本発明の実施の形態においてパネルの各電極に印加する駆動電圧波形を示す図
【図５】本発明の一実施の形態におけるプラズマディスプレイ装置の回路構成を示す回路図
【図６】ミラー積分回路の動作を説明するための概略図
【符号の説明】
【００２９】
１０  パネル
１３  走査電極駆動部
１６  ＭＯＳＦＥＴ
１７  コンデンサ
１８、２１  抵抗
１９  ツェナーダイオード
２０、３１  トランジスタ
２９  パルス信号発生器
【図１】
2008275851.tif 000003
【図２】
2008275851.tif 000004
【図３】
2008275851.tif 000005
【図４】
2008275851.tif 000006
【図５】
2008275851.tif 000007
【図６】
2008275851.tif 000008